(57)【要約】【課題】  従来技術では、威嚇効果はある程度持続させることができるが、この場合、人間あるいは家畜類に害を及ぼす虞れがあるので、威嚇信号の周波数をランダムに変化させると共に、時々、周波数の急激な降下と上昇による衝撃音部を含ませることによって、小さな出力でも有害動物がこの信号に慣れることなく、人間若しくは家畜類に悪影響を及ぼさずに有害動物の威嚇効果を持続できると述べている。ところが、有害動物の学習能力により、撃退することができない欠点がある。【解決手段】  制御信号に応動して発振周波数０ＫＨｚ〜４０ＫＨｚの間を時間により任意に変化させる信号発生器と、その信号に対応して制御信号を発生させる制御回路と、該制御回路を増幅する増幅回路５と、出力信号を振動に変換するスピーカー４とを備えた有害動物撃退装置。【選択図】図１
2008017763.tif 000002
【特許請求の範囲】
【請求項１】
制御信号に応動して発振周波数０ＫＨｚ〜４０ＫＨｚの間を時間により任意に変化させる信号発生器と、その信号に対応して制御信号を発生させる制御回路と、該制御回路を増幅する増幅回路と、出力信号を振動に変換するスピーカーとを備えたことを特徴とする有害動物撃退装置。
【請求項２】
人間が通過した場合には、有害動物撃退装置を起動しない、若しくは有害動物が通過した場合だけ、一定時間有害動物撃退装置を起動する検知センサーを設けたことを特徴とする請求項１に記載の有害動物撃退装置。
【発明の詳細な説明】
【技術分野】
【０００１】
本発明は、ネズミ類をはじめとする有害動物をスピーカーを用いて威嚇し、しかも有害動物が学習能力を働かしても確実に威嚇でき、これらの有害動物を放逐すると共に、その侵入を防止する有害動物撃退装置に関するものである。
【背景技術】
【０００２】
従来は、制御信号に応動して発振周波数が変化する発振回路と、ランダム信号発生器を内蔵してその出力ランダム信号に対応した制御信号を発生する制御回路と、電気信号を音響等の機械的な振動に変換するトランスデューサとを備えて構成され、制御回路の出力する制御信号を発振回路に与えて発振周波数を制御し、ランダムに変化する発振周波数の中に、周波数の急激な下降からより急激な上昇へ転ずる衝撃音部分を含む威嚇信号を作成し、この威嚇信号をトランスデューサによって機械的な振動に変換して送出する有害動物の威嚇装置（例えば、特許文献１参照）が存在している。
【特許文献１】特公昭６３−１６号公報（特許請求の範囲、発明の詳細な説明の欄、及び図１〜図４を参照）
【発明の開示】
【発明が解決しようとする課題】
【０００３】
しかしながら、従来のような構成では、確かに威嚇信号の出力を充分大きなものとすれば、威嚇効果はある程度持続させることができるが、この場合、人間あるいは家畜類に害を及ぼす虞れがあるので、威嚇信号の周波数をランダムに変化させると共に、時々、周波数の急激な降下と上昇による衝撃音部を含ませることによって、小さな出力でも有害動物がこの信号に慣れることなく、人間若しくは家畜類に悪影響を及ぼさずに有害動物の威嚇効果を持続できる有害動物の威嚇装置であると述べている。ところが、これでは有害動物の学習能力により、撃退することができない欠点がある。例えば、家鼠は学習能力があり、嫌悪する中心周波数の上下に約２〜３ＫＨｚ程度の変動幅で、ランダムに発振周波数を変化させるだけでは威嚇することができなくなる。
また、人間あるいは家畜類に害を及ぼすことになるという問題点があった。
【０００４】
これに対して、本発明に係る有害動物撃退装置は、人間あるいは家畜類に害を及ぼさないようにするために、人間あるいは家畜類が入った場合、撃退周波数の発信をストップしたり、若しくは有害動物が入った場合だけ時間動作等を機能させるセンサー回路を追加し、感度調整により設置場所の撃退装置動作を可変させ、設置場所の拡大を目指した有害動物撃退装置を提供するものである。
【課題を解決するための手段】
【０００５】
上記課題を解決するための本発明の第１発明は、請求項１に記載された通りの有害動物撃退装置であり、次のようなものである。
制御信号に応動して発振周波数０ＫＨｚ〜４０ＫＨｚの間を時間により任意に変化させる信号発生器と、その信号に対応して制御信号を発生させる制御回路と、該制御回路を増幅する増幅回路と、出力信号を振動に変換するスピーカーとを備える構成である。
【０００６】
上記課題を解決するための本発明の第２発明は、請求項２に記載された通りの有害動物撃退装置であり、次のようなものである。
請求項１に記載の発明に加えて、人間が通過した場合には、有害動物撃退装置を起動しない、若しくは有害動物が通過した場合だけ、一定時間有害動物撃退装置を起動する検知センサーを設ける構成である。
【発明の効果】
【０００７】
本発明に係る有害動物撃退装置は、上記説明のような構成であるので、以下に記載する効果を奏する。
（１）学習能力を持っている有害動物でも確実に撃退することができる。
（２）人間あるいは家畜類に害を与える周波数を採用する場合でも、周波数の発信をストップさせたり、有害動物が入った場合だけ時間動作させることができるタイマー、センサー回路を設けることで、人間あるいは家畜類に害を与えることがないものである。
【発明を実施するための最良の形態】
【０００８】
制御信号に応動して発振周波数０ＫＨｚ〜４０ＫＨｚの間を時間により任意に変化させる信号発生器と、その信号に対応して制御信号を発生させる制御回路と、該制御回路を増幅する増幅回路と、出力信号を振動に変換するスピーカーとを備えた有害動物撃退装置である。
【実施例】
【０００９】
先ず、本発明の有害動物撃退装置について詳細に説明する。
図１は、本発明の第１実施形態におけるブロックダイヤグラム図、図２は、本発明の第２実施形態におけるブロックダイヤグラム図である。
本発明の第１実施例は、図１に示すように、１は発振回路、２はコンピュータ制御装置、３は増幅回路、４はスピーカーである。発振回路１は、ランダムに信号を発生する可変周波数形の発振回路であって、図示されていない端子に与えられる制御信号によって、コンピュータ制御により０ＫＨｚ〜４０ＫＨｚの範囲内で発振周波数が制御される。増幅回路３は、電力増幅回路であって、前記発振回路１の出力信号を増幅してスピーカー４へ転送するものである。スピーカー４は電気信号を空気の疎密等の機械的な振動に変換するものである。
本発明の有害動物撃退装置では、コンピュータ制御（マイコン制御）装置２を使用して、０〜４０ＫＨｚの間を時間により任意に変化させるもので、例えば制御信号に応動して有害動物の威嚇信号となる５ＫＨｚ、１０ＫＨｚ、１５ＫＨｚ、２０ＫＨｚ、２５ＫＨｚ、３０ＫＨｚの発振周波数を順番、あるいは各周波数の間に発振を停止させて順番に発振する発振回路１｛図３（ａ）参照｝、又は前記各発振周波数をランダムに発振、あるいは各周波数の間に発振を停止させてランダムに発振する発振回路１｛図３（ｂ）参照｝と、前記発振周波数をランダムに発振するランダム信号発生器と、その出力信号に対応して制御信号を発生させる制御回路と、該制御回路を増幅する増幅回路３と出力信号を音響等の機械的な振動に変換するスピーカー４とを備えて構成され、前記制御回路の出力する制御信号を発振回路１に与えて発振周波数を制御し、順次繰り返して発振させたり、各発振周波数間を一時的に発振を停止して順次繰り返したり｛図３（ｃ）参照｝、各発振周波数を順番だけでなくランダムに発振させたり、該ランダムに発振する発振周波数間を一時的に発振を停止してランダムに繰り返し、衝撃音を含む威嚇信号を作成し｛図３（ｄ）参照｝、この威嚇信号をスピーカー４によって機械的な振動に変換して送出することを特徴とする有害動物撃退装置である。
【００１０】
次に、図２に基づいて第２実施例の有害動物撃退装置の構成について説明する。
周波数が１７ＫＨｚ以下は、人間の耳で聞こえるため害になったり、ビックリしたりするため、人間が入った場合は、撃退装置の周波数の発振をストップさせたり、若しくは有害動物が入った場合だけ、タイマーの時間動作等のセンサー回路５を前記第１実施例のコンピュータ制御装置２に追加して感度調整することにより、場所によって撃退動作を可変させることで設置場所の拡大を目指すものである。
【００１１】
以上説明したことをまとめてみると、
（１）発振する周波数の高低を不規則に発生させること。
（２）発振する周波数の強弱を不規則に変化させること。
（３）発振する周波数を不規則な間歇性を持たせること。
（４）発振する複数の周波数を高低、強弱、多種間歇等の組み合わせをすること。
（５）人間、家畜類への影響を避けるために、周波数の発生時間帯を指定すること。
（６）センサー、タイマー等で対象物を可及的に限定した上、周波数を発生する機能を有するので、人間、家畜類に害を与えないこと。
【００１２】
次に、以上のように構成された有害動物撃退装置の動作を説明する。
先ず、発振回路１の周波数を、例えばネズミの嫌悪する５ＫＨｚ、１０ＫＨｚ、１５ＫＨｚ、２０ＫＨｚ、２５ＫＨｚ、３０ＫＨｚ、３５ＫＨｚ、４０ＫＨｚを順次、あるいはランダムに発振するように制御したり、周波数の発振持続時間をランダムに変化させるように制御する。
このように威嚇信号を家鼠に照射すると、家鼠は音場外へ出ようと走り回ったり、隅にうずくまってたり、四肢、尾、耳等をピクピク痙攣させ、狂暴となって暴れ出すものである。
このように本発明は、有害動物を撃退することができるものである。
【産業上の利用可能性】
【００１３】
有害動物だけでなく、鳩、雀等の鳥類の撃退にも用いることができる。
【図面の簡単な説明】
【００１４】
【図１】本発明の第１実施例で、有害動物撃退装置を示す概略ブロックダイヤグラム図である。
【図２】本発明の第２実施例で、有害動物撃退装置を示す概略ブロックダイヤグラム図である。
【図３】本発明における発振周波数の発振状態を示す概略説明図である。
【符号の説明】
【００１５】
１・・・・発振回路                        ２・・・・コンピュータ制御装置
３・・・・増幅回路                        ４・・・・スピーカー
５・・・・センサー回路
【図１】
2008017763.tif 000003
【図２】
2008017763.tif 000004
【図３】
2008017763.tif 000005